(57)【要約】【課題】  簡単な構成で、プルポケットのブラケットへの組み付け性を向上させ、作業工数を低減する。【解決手段】  プルポケット５がブラケット６に取り付けられる際に、切り起し片１１が下方へ弾性変形されて係止部１２の車幅方向外側への移動が許容され、プルポケット５が移動し、プルポケット５がブラケット６に取り付けられた状態で、切り起し片１１が係止部１２に車幅方向内側から係止され、プルポケット５に作用する車幅方向内側への荷重が支持される。【選択図】図６
2015182673.tif 000002
【特許請求の範囲】
【請求項１】
上方が開口した容器形状に形成されてドアトリムのアームレスト部に組み付けられるとともに、下部がドアトリム内で前記ドアインナパネルに固定されたブラケットに取り付けられるプルポケットの取付構造であって、
前記プルポケットは、その底面から突出されて前記ブラケットに係止される係止部を有し、
前記ブラケットは、
ドアインナパネル側から車幅方向内側に延設される支持面部と、当該支持面部において車幅方向外側へ向かって斜め上方に切り起こされるとともに上下に弾性変形可能な切り起し片とを有し、
前記切り起し片は、
前記プルポケットが前記ブラケットに取り付けられる際に、下方へ弾性変形されて前記係止部の車幅方向外側への移動を許容し、前記プルポケットが前記ブラケットに取り付けられた状態で、前記係止部に車幅方向内側から係止されて前記プルポケットに作用する車幅方向内側への荷重を支持する
ことを特徴とするプルポケットの取付構造。
【請求項２】
請求項１に記載のプルポケットの取付構造において、
前記切り起し片は、
車両の前後方向に延びて前記係止部に係止される縁辺部を有し、前記縁辺部が前記係止部よりも車両前後方向に長く形成されている
ことを特徴とするプルポケットの取付構造。
【請求項３】
請求項１または請求項２に記載のプルポケットの取付構造において、
前記ブラケットは、
前記切り起し片に対向して車幅方向の内側に向けて突出される係止片を有するとともに、前記支持面部が車幅方向の中間部分に設けた屈曲部で車幅方向内側に向かって下方に傾斜するよう屈曲され、
前記プルポケットの係止部は、
前記プルポケットが前記ブラケットに取り付けられた状態で、前記係止片と対向する穴部を有し、
前記ブラケットに車幅方向への圧縮荷重が作用した際に、前記ブラケットの前記支持面部が前記屈曲部を起点に折れ曲がると共に、前記係止片が前記係止部の孔部に挿入されて係止される
ことを特徴とするプルポケットの取付構造。
【請求項４】
請求項３に記載のプルポケットの取付構造において、
前記係止片は、車幅方向の内側に向かい漸次幅が狭くなり、先端部が角部とされている
ことを特徴とするプルポケットの取付構造。
【発明の詳細な説明】
【技術分野】
【０００１】
本発明は、ドアトリムのアームレストに取り付けられるプルポケットの取付構造に関する。
【背景技術】
【０００２】
自動車のドアパネルの車室内側（内側）には、内装材としてドアトリムが備えられている。ドアトリムは、クリップなどによりドアインナパネルに固定されることでドアパネルに装着される。ドアトリムには、乗員の肘掛として用いられるアームレスト部が車室側に張り出して形成され、アームレスト部には上方が開口する容器形状のプルポケットが設けられている。プルポケットは、ドアを閉める際の把手として用いられ、乗員が開口に指を入れてドアを引き込む際に使用される。
【０００３】
プルポケットは、ドアを引き込む際の荷重を受けるため、ドアインナパネル側のブラケットに対して固定され、取り付き剛性が保たれている（例えば、特許文献１参照）。
【０００４】
特許文献１に記載された構造では、ドアインナパネルに固定された金属製のブラケットに設けた取付孔に、プルハンドルボックス（プルポケット）の下面に一体に設けた係合爪を係合させることで、プルハンドルボックスがドアパネル側に固定され、取り付き剛性が保たれる構成となっている。
【０００５】
しかし、特許文献１に記載された技術では、部品精度のばらつき等によってドアインナパネル側の取付孔とプルハンドルボックス側の係合爪との位置関係がずれると、組み付け性が悪化し、組付けられなくなる虞がある。また、無理に組付けようとするとドアトリムやプルハンドルボックスが変形し、互いの合わせ部に隙間が生じて見栄えが悪くなることが考えられる。このため、ドアインナパネル側の取付孔とプルハンドルボックス側の係合爪の精度を正確に保つ必要があり、部品管理のコストが嵩む虞があるのが現状である。
【０００６】
また、通常、ドアトリムは、プルハンドルボックスを組み付けた状態で、ドアインナパネルに対して横方向から装着されるが、特許文献１の構造では、ドアトリムの装着方向（横方向）とプルハンドルボックスの係合爪の差し込み方向（上下方向）とが異なるため、ドアトリムをドアインナパネルに装着した後でプルハンドルボックスだけを別で組み付ける必要がある。そのため作業工数が増加してしまうという問題が生じると考えられ、改善の余地があった。
【先行技術文献】
【特許文献】
【０００７】
【特許文献１】特開２００８−１９５３４０号公報
【発明の概要】
【発明が解決しようとする課題】
【０００８】
本発明は上記状況に鑑みてなされたもので、簡単な構成で、プルポケットのブラケットへの組み付け性を向上させ、作業工数を低減することができるプルポケットの取付構造を提供することを目的とする。
【課題を解決するための手段】
【０００９】
上記目的を達成するための請求項１に係る本発明のプルポケットの取付構造は、上方が開口した容器形状に形成されてドアトリムのアームレスト部に組み付けられるとともに、下部がドアトリム内で前記ドアインナパネルに固定されたブラケットに取り付けられるプルポケットの取付構造であって、前記プルポケットは、その底面から突出されて前記ブラケットに係止される係止部を有し、前記ブラケットは、ドアインナパネル側から車幅方向内側に延設される支持面部と、当該支持面部において車幅方向外側へ向かって斜め上方に切り起こされるとともに上下に弾性変形可能な切り起し片とを有し、前記切り起し片は、前記プルポケットが前記ブラケットに取り付けられる際に、下方へ弾性変形されて前記係止部の車幅方向外側への移動を許容し、前記プルポケットが前記ブラケットに取り付けられた状態で、前記係止部に車幅方向内側から係止されて前記プルポケットに作用する車幅方向内側への荷重を支持することを特徴とする。
【００１０】
請求項１に係る本発明では、プルポケットがブラケットに取り付けられる際に、切り起し片が下方へ弾性変形されて係止部の車幅方向外側への移動が許容され、プルポケットが移動する。プルポケットがブラケットに取り付けられた状態で、切り起し片が係止部に車幅方向内側から係止され、プルポケットに作用する車幅方向内側への荷重が支持される。
【００１１】
このため、簡単な構成で、プルポケットのブラケットへの組み付け性を向上させ、作業工数を低減することが可能になる。
【００１２】
そして、請求項２に係る本発明のプルポケットの取付構造は、請求項１に記載のプルポケットの取付構造において、前記切り起し片は、車両の前後方向に延びて前記係止部に係止される縁辺部を有し、前記縁辺部が前記係止部よりも車両前後方向に長く形成されていることを特徴とする。
【００１３】
請求項２に係る本発明では、切り起し片の縁辺部が係止部よりも車両前後方向に長く形成されているので、切り起し片の位置と係止部の位置との車両の前後方向のずれを吸収することができる。
【００１４】
また、請求項３に係る本発明のプルポケットの取付構造は、請求項１または請求項２に記載のプルポケットの取付構造において、前記ブラケットは、前記切り起し片に対向して車幅方向の内側に向けて突出される係止片を有するとともに、前記支持面部が車幅方向の中間部分に設けた屈曲部で車幅方向内側に向かって下方に傾斜するよう屈曲され、前記プルポケットの係止部は、前記プルポケットが前記ブラケットに取り付けられた状態で、前記係止片と対向する穴部を有し、前記ブラケットに車幅方向への圧縮荷重が作用した際に、前記ブラケットの前記支持面部が前記屈曲部を起点に折れ曲がると共に、前記係止片が前記係止部の孔部に挿入されて係止されることを特徴とする。
【００１５】
請求項３に係る本発明では、側面衝突等により、ブラケットに車幅方向への圧縮荷重が作用した際に、ブラケットの支持面部が屈曲部を起点に折れ曲がり、係止片がプルポケットの係止部の孔部に挿入されて係止されるため、プルポケットがブラケットから外れて飛び出すことがない。
【００１６】
また、請求項４に係る本発明のプルポケットの取付構造は、請求項３に記載のプルポケットの取付構造において、前記係止片は、車幅方向の内側に向かい漸次幅が狭くなり、先端部が角部とされていることを特徴とする。
【００１７】
請求項４に係る本発明では、車幅方向に作用する圧縮荷重の方向がばらついても、係止片の角部が係止部に当たり、漸次幅が広がる部位で係止部に係止する。
【発明の効果】
【００１８】
本発明のプルポケットの取付構造は、簡単な構成で、プルポケットのブラケットへの組み付け性を向上させ、作業工数を低減することが可能になる。
【図面の簡単な説明】
【００１９】
【図１】本発明の一実施例に係るプルポケットの取付構造を適用したドアの外観図である。
【図２】図１中の断面図である。
【図３】図１中の分解斜視状況を表す外観図である。
【図４】ブラケットの外観図である。
【図５】プルポケットの外観図である。
【図６】プルポケットのブラケットへの取り付け動作の説明図である。
【図７】側面衝突時におけるプルポケットとブラケットの動作説明図である。
【図８】係止片と係止部の係止状態を説明する平面図である。
【発明を実施するための形態】
【００２０】
図１から図４に基づいてプルポケットの取付構造を説明する。
【００２１】
図１には本発明の本発明の一実施例に係るプルポケットの取付構造により取り付けられたプルポケットを備えたドアの外観、図２にはプルポケットの取付構造の断面状態、図３には図１中のドアの構成部材を分解して表す外観を示してある。
【００２２】
そして、図４にはドアインナパネルに固定されるブラケットを上方から見た外観、図５にはブラケットに取り付けられるプルポケットを底面側から見た外観を示してある。
【００２３】
図１から図３に示すように、自動車のドア１の車室内側には内装材としてドアトリム２が備えられている。ドアトリム２は、例えば、クリップによりドアインナパネル３に固定され、ドアパネルに装着されている。ドアトリム２には、乗員の肘掛として用いられるアームレスト部４が車室側に張り出して形成され、アームレスト部４には、上方が開口する容器形状のプルポケット５が設けられている。
【００２４】
プルポケット５はドアトリム２のアームレスト部４の上面に形成された開口に嵌合され、プルポケット５の上縁部が、例えば、爪を介してアームレスト部４の開口に固定されている。ドアトリム２にプルポケット５が組み付けられた状態で、ドアトリム２がドアインナパネル３側に装着される。
【００２５】
ドアインナパネル３の車室内側（車幅方向内側）にはブラケット６がビス７により固定され、ブラケット６にプルポケット５の底部が取り付けられる。ドアトリム２がドアインナパネル３側に装着され、ブラケット６にプルポケット５の底部が取り付けられることで、プルポケット５を備えたドアトリム２がドアパネルに装着される。
【００２６】
図２、図３に示すように、ブラケット６には切り起し片１１が形成され、プルポケット５の底面には係止部１２が備えられている。具体的には後述するが、ブラケット６の切り起し片１１は上下方向に弾性変形自在に備えられ、弾性変形している状態で、プルポケット５の係止部１２に係止している。プルポケット５は、底面側の係止部１２がブラケット６の切り起し片１１に係止されることで、ブラケット６を介してドアインナパネル３に支持された状態となる。
【００２７】
図２から図５に基づいてブラケット６及びプルポケット５の構造を具体的に説明し、切り起し片１１、係止部１２の構成を説明する。
【００２８】
ブラケット６は、上下方向に延設されてドアインナパネル３に固定される固定面部１５と、固定面部１５の上縁から連続して車室内側（車幅方向内側）に延びる支持面部１６とを備えている。主に図４に示すように、支持面部１６は、固定面部１５の上縁に連続する基縁枠２１と、基縁枠２１の車両の前後方向の前後から車室内側に延びる一対の脇縁枠２２と、脇縁枠２２の先端部同士を連結する先端縁枠２３とからなる四角状の枠形状に形成されており、その中央部には、開口部１６ａが設けられている。そして、先端縁枠２３の車室内側の端縁には、下向きのフランジ縁２４が形成されている。
【００２９】
また、支持面部１６は、固定面部１５から略水平に延設された状態から車幅方向の略中間部分で車室内側に向かい下方に傾斜するよう屈曲されている。具体的には、脇縁枠２２が、車幅方向の略中間部の屈曲部２２ａを境に先端縁枠２３側が斜め下方に屈曲形成されており、先端縁枠２３が基縁枠２１に対して下側に位置した状態となっている。つまり、支持面部１６において、基縁枠２１と脇縁枠２２の屈曲部２２ａより車室外側（車幅方向外側）の部位が略水平とされ、脇縁枠２２の屈曲部２２ａより車室内側の部位と先端縁枠２３とが車室内側に向かって下方へ傾斜されている。
【００３０】
先端縁枠２３には、車室外側に向けて切り起し片１１が形成されている。切り起し片１１は、先端縁枠２３の開口部１６ａ側の縁部を中心に上方に切り起こされて上下方向に弾性変形自在とされている。切り起し片１１は、脇縁枠２２の傾斜された面より上側に切り起こされた状態になっている。切り起し片１１には、車両の前後方向に延びる縁辺部１１ａが備えられ、この縁辺部１１ａがプルポケット５の係止部１２に係止するよう構成されている。そして、縁辺部１１ａは、部品の誤差等により係止部１２の位置と切り起し片１１の位置が車両の前後でずれた場合でも係止状態が維持できるように、係止部１２よりも車両前後方向に長く形成されている。
【００３１】
また、ブラケット６の基縁枠２１には、切り起し片１１に対向して車室内側に向けて係止片２６が形成されている。係止片２６は、先端が角部２６ａとされて平面視で三角形状とされ、車幅方向の内側に向かい漸次幅が狭くなる形状となっている。詳細は後述するが、側面衝突等によって、ドアトリム２とドアインナパネル３の間隔が縮まった際に（ブラケットに車幅方向への圧縮荷重が作用した際に）、プルポケット５の係止部１２の穴部１３内に係止片２６が係止されて、プルポケット５のブラケット６からの抜け外れが阻止される仕組みとなっている。
【００３２】
一方、プルポケット５の底面には、係止部１２が備えられている。主に図５に示すように、係止部１２は、穴部１３を有するＵ字型に形成された引掛け具となっている。図２、図６に示すように、プルポケット５がブラケット６に取り付けられた状態（図６ｄ参照）で、係止部１２の穴部１３は、切り起し片１１及び係止片２６に対向するよう設けられる。切り起し片１１に対向する係止部１２のＵ字状の車幅方向内側の縁部には、切り起し片１１の縁辺部１１ａが嵌合する嵌合溝１２ａが形成されている。
【００３３】
尚、係止部の形状は、Ｕ字型の縁部を備えた引掛け具の形状に限らず、コ字型の縁部を備えると共に、コ字型の穴部を備えた引掛け具の形状を採用することも可能であり、係止部の形状は切り起し片１１が係止される形状であれば任意である。
【００３４】
図６に基づいて、プルポケット５をブラケット６に組み付ける際のブラケット６の切り起し片１１とプルポケット５の係止部１２との状態を説明する。
【００３５】
図６は、プルポケット５がブラケット６に取り付けられる際の係止部１２と切り起し片１１の動きを示しており、図６（ａ）は、プルポケット５がブラケット６に取り付けられる前の状態、図６（ｂ）および図６（ｃ）は、プルポケット５が取り付けられる途中の状態、図６（ｃ）はプルポケット５がブラケット６に取り付けられた状態を示している。
【００３６】
プルポケット５は、ドアトリム２（図示省略）に組み付けられた状態で、ドアインナパネル３（図示省略）に装着される。ドアトリム２は、ドアインナパネル３に対して車室内側（車幅方向内側）から装着されるため、プルポケット５は、ブラケット６に対して、車室内側から移動されて取り付けられる。
【００３７】
図６（ａ）に示すように、プルポケット５の係止部１２をブラケット６の切り起し片１１（ブラケット６の傾斜面）に対向させ、プルポケット５（ドアトリム２）を取り付け方向である車室外側（車幅方向外側）に移動させると、図６（ｂ）に示すように、プルポケット５の係止部１２のＵ字型の縁部の下端が切り起し片１１に当接し、係止部１２によって押されて切り起し片１１が下方に弾性変形し始める。
【００３８】
プルポケット５（ドアトリム２）をさらに車室外側へ移動させると、図６（ｃ）に示すように、プルポケット５の係止部１２により、切り起し片１１がさらに下側に押されて脇縁枠２２（傾斜部分）より下方に弾性変形された状態となる。
【００３９】
このとき、切り起し片１１は、弾性変形自在に備えられているので、プルポケット５の係止部１２の高さに対し、ブラケット６の取付け高さがずれていても、上下方向のばらつきが切り起し片１１により吸収される。
【００４０】
そして、さらにプルポケット５が車室外側に移動され、係止部１２がブラケット６の切り起し片１１の縁辺部１１ａを通過して開口部１６ａ内に嵌まると、図６（ｄ）に示すように、切り起し片１１の弾性変形が解放され、弾性変形が解放される過程で縁辺部１１ａが嵌合溝１２ａに嵌合する。即ち、切り起し片１１が弾性変形により係止部１２に係止される。
【００４１】
これにより、切り起し片１１によって係止部１２が車両の上下方向及び車幅方向に規制され、プルポケット５がブラケット６に取り付けられる。
【００４２】
尚、上述した構成では、切り起し片１１の車両の前後方向に延びる縁辺部１１ａがプルポケット５の係止部１２に係止される構成となっており、縁辺部１１ａが係止部１２より車両の前後方向に長く形成されているので、切り起し片１１と係止部１２との位置が部品精度のばらつき等によって車両の前後方向でずれていても、そのずれを吸収して組み付けることができる。
【００４３】
このように、本実施形態の構造であれば、プルポケット５（プルポケット５が装着されたドアトリム２）を車両の車室内側から外側に向けて移動させるだけの簡単な作業でプルポケット５をブラケット６に係止させることができる。即ち、ドアトリム２をドアインナパネル３に装着するときに、ほぼ自動的にプルポケット５をブラケット６に取り付けることが可能となる。
【００４４】
しかも、上下方向および車両前後方向においてブラケット６に対する係止部１２の位置ずれを吸収できるので、プルポケット５とブラケット６の位置にばらつきがあっても、プルポケット５をドアインナパネル３のブラケット６に確実に組み付けることができる。従って、プルポケット５のブラケット６への組み付け性を向上させることができ、ひいては、ドアトリム２をドアインナパネル３へ装着する際の作業性が向上される。
【００４５】
尚、ドア１を閉める際にプルポケット５には、車室内側への荷重が作用するが、プルポケット５の係止部１２がブラケット６の切り起し片１１によって車室内側から支持されているので、プルポケット５に作用する荷重をブラケット６を介してドアインナパネル３で支持することができる。そのため、ドア１開閉操作持の剛性が損なわれることはない。
【００４６】
ところで、本実施形態におけるプルポケットの取付構造は、上記機能とは別に車両の側面衝突時において有用な機能を備えている。
【００４７】
図７、図８に基づいて、本実施例が備えるさらなる機能について以下で説明する。  
【００４８】
図７には側面衝突時の状況を示しており、図７（ａ）は、側面衝突が生じる前の状態、図７（ｂ）は、乗員が相対的に車両の外側に移動し始めた状態、図７（ｃ）は、ドアトリム２とドアインナパネル３の隙間が縮まった状態である。また、図８にはブラケット６の係止片２６が係止部１２に係合した状態を説明する平面視を示してある。
【００４９】
通常の状態では、図７（ａ）に示すように、ドアインナパネル３とドアトリム２との間には、プルポケット５が収容されるのに十分な間隔があり、ブラケット６の車室内側の先端縁枠２３（フランジ縁２４）は、ドアトリム２とは離れた位置にある。
【００５０】
そして、側面衝突時等、車両の側方からドア１に衝撃が作用した場合、ドア１が車室内側へ変形されるとともに乗員３１が相対的に車幅方向の外側に移動されるので、乗員３１がドアトリム２に当接されドアトリム２が相対的に車室外側へ変形される。これにより、ドアトリム２とドアインナパネル３との間隔が狭まり、図７（ｂ）に示すように、ドアトリム２の裏側の部位とブラケット６の先端縁枠２３（フランジ縁２４）とが当接された状態となる。
【００５１】
さらに、ドア１（ドアトリム２）の変形が進むと、図７（ｃ）に示すように、ドアトリム２とドアインナパネル３の間隔がさらに縮まる。これにより、ブラケット６には、車幅方向での圧縮荷重が作用し、支持面部１６の脇縁枠２２が、屈曲部２２ａを起点にして先端縁枠２３側の部位が衝撃を吸収しながら下方に折れ曲がる。
【００５２】
そして、プルポケット５がドアトリム２に当接されるとともに、プルポケット５の係止部１２の穴部１３にブラケット６の係止片２６が挿入されて係止される（図８参照）。また、このときプルポケット５がブラケット６の係止片２６とドアトリム２とで挟持された状態とされる。これにより、プルポケット５の上方への移動が規制される。
【００５３】
従って、側面衝突時等において、ドアトリム２とドアインナパネル３の間隔が縮まってブラケット６が折れ曲がっても（変形しても）、プルポケット５のブラケット６からの抜け外れが阻止され、プルポケット５がブラケット６から外れて飛び出すことがない。
【００５４】
図８に示すように、係止片２６は、先端が角部２６ａとされて漸次幅が狭くなっているため、係止片２６の角部２６ａが係止部１２のＵ字型の穴部１３に挿入され（当たり）、漸次幅が広がる部位で係止部１２のＵ字型の穴部１３に係止する。このため、ドアトリム２とドアインナパネル３の隙間が縮まる方向が車両の前後方向にばらついても、係止部１２に係止片２６を確実に係合させることができる。
【００５５】
上述のように、本発明のプルポケットの取付構造によれば、プルポケット５の組み付け性を向上させることができ、ドアトリム２の組み付け作業性を改善することができる。さらに、側面衝突時においては、衝突の衝撃を吸収しつつプルポケット５がドアトリム２から外れることを阻止することが可能となる。
【産業上の利用可能性】
【００５６】
本発明は、ドアトリムのアームレストに取り付けられるプルポケットの取付構造の産業分野で利用することができる。
【符号の説明】
【００５７】
１  ドア
２  ドアトリム
３  ドアインナパネル
４  アームレスト部
５  プルポケット
６  ブラケット
７  ビス
１１  切り起し片
１２  係止部
１３  穴部
１５  固定面部
１６  支持面部
２１  基縁枠
２２  脇縁枠
２３  先端縁枠
２４  フランジ縁
２６  係止片
３１  乗員
【図１】
2015182673.tif 000003
【図２】
2015182673.tif 000004
【図３】
2015182673.tif 000005
【図４】
2015182673.tif 000006
【図５】
2015182673.tif 000007
【図６】
2015182673.tif 000008
【図７】
2015182673.tif 000009
【図８】
2015182673.tif 000010